(57)【要約】【課題】  特別な操作を意識して行わなくても、視聴者に応じて標準再生モードと高齢者向け再生支援モードとに設定切り換えをするとともに、設定されたモードで視聴することが可能なテレビジョン受像システムを提供する。【解決手段】  テレビを遠隔操作するリモコン装置１０に、操作者の皮膚に接触した接触部の状態に基づいて肌年齢を算出し、算出された肌年齢から高齢者であることを判定する肌年齢測定手段１１及び、この肌年齢測定手段によって操作者が高齢者であると判定されたときテレビジョン受像機２０に支援要求を送信する送信手段１９を設け、これに対応してテレビジョン受像機には、リモコン装置から送信される支援要求に基づいて、画像信号に対して高齢者の視覚特性に対応させた画像処理を実行し、音声信号に対して高齢者の聴覚特性に対応させた音声処理を実行する支援処理手段（２３、２４、２７、２８、３１）を設ける。【選択図】  図１
2005039675.tif 000002
【特許請求の範囲】
【請求項１】
操作者の皮膚に接触した接触部の状態に基づいて肌年齢を算出し、算出された前記肌年齢から高齢者であることを判定する肌年齢測定手段及び、前記肌年齢測定手段によって前記操作者が高齢者であると判定されたときテレビジョン受像機に支援要求を送信する送信手段を含むリモコン装置と、
前記リモコン装置から送信される前記支援要求に基づいて、画像信号に対して高齢者の視覚特性に対応させた画像処理を、及び、音声信号に対して高齢者の聴覚特性に対応させた音声処理を実行する支援処理手段を含むテレビジョン受像機とを、
備えたテレビジョン受像システム。
【発明の詳細な説明】
【技術分野】
【０００１】
本発明は、高齢者向けの再生支援モードを備えたテレビジョン受像システムに関する。
【背景技術】
【０００２】
人間の視覚特性や聴覚特性は、個人差こそあれ、年齢と共に徐々に低下し、例えば、２０才の特性を基準とした場合、６０才の特性は大きく低下する。そして、６０才以上の高齢者では、輝度の低い、すなわち暗い画像が見えにくくなったり、音声の高域が聞きにくくなったりする現象が知られている。この現象に対処するために、高齢者が見やすい画像及び聞きとりやすい音声を再生するべく、画質調整や音質調整を行い得る機能を付加したとしても、複雑な調整操作が必要となり、これを実現することは容易ではない。このため、高齢者向けの再生支援モードを持つテレビジョン受像機が提案されている。このテレビジョン受像機によれば、映像信号や音声信号を高齢者に見やすく、かつ、聞きやすく変換することができ、したがって高齢者でもテレビを視聴しやすくなる（例えば、下記の特許文献１参照）。
【０００３】
一方、皮膚に接触した振動体の振動に基づいて無侵襲で肌年齢を推定することが提案されている。肌年齢とは、肌の状態などにより定まる肌固有の仮想年齢を示す指標であり、肌のメンテナンスの要否、手法あるいは必要度を容易に判断することができる（例えば、下記の特許文献２参照）。
【特許文献１】特開平９−２４７５６３号公報
【特許文献２】特開２００１−２１２０８７号公報
【発明の開示】
【発明が解決しようとする課題】
【０００４】
上述した再生支援モードを持つテレビジョン受像機は標準再生モードと高齢者向け再生支援モードを、「高齢者向け支援ボタン」などの操作で切り換えている。しかしながら、テレビは一般に家庭の茶の間に置かれ、家族全員が見るものであるから絶えず高齢者向け再生支援モードのままでは、一般の者にはかえって見づらい場合がある。そこで、高齢者が望む場合にのみ高齢者向け再生支援モードにすることも考えられるが、高齢者に通常の操作以外の操作を強いるのは酷であり、実際には高齢者向け再生支援モードに切り換えずに標準モードのまま視聴してしまうことが多い。また、一方で一般の者も気づかずに高齢者向け再生支援モードのままで視聴してしまうこともある。そのため、上述した従来のテレビジョン受像機では高齢者向け再生支援モードが有効に機能しないという課題があった。
【０００５】
なお、皮膚に接触した振動体の振動に基づいて無侵襲で肌年齢を推定する方法は、角質細胞をテープなどにより皮膚から剥離し、次いで剥離した角質細胞を顕微鏡により観察する侵襲検査を不要化でき、検査を迅速に行うことができるという利点はあるが、高齢者向け再生支援モードを持つテレビへの応用については何らの示唆もされていなかった。
【０００６】
本発明は上記の課題を解決するためになされたもので、振動体の振動に基づいて無侵襲で肌年齢を推定可能であることを応用することによって、特別な操作を意識して行わなくても、視聴者に応じて標準再生モードと高齢者向け再生支援モードとに設定切り換えをするとともに、設定されたモードで視聴することが可能なテレビジョン受像システムを提供することを目的とする。
【課題を解決するための手段】
【０００７】
本発明に係るテレビジョン受像システムは、テレビを遠隔操作するリモコン装置に、操作者の皮膚に接触した接触部の状態に基づいて肌年齢を算出し、算出された前記肌年齢から高齢者であることを判定する肌年齢測定手段及び、前記肌年齢測定手段によって前記操作者が高齢者であると判定されたときテレビジョン受像機に支援要求を送信する送信手段を設け、これに対応してテレビジョン受像機には、前記リモコン装置から送信される前記支援要求に基づいて、画像信号に対して高齢者の視覚特性に対応させた画像処理を実行し、音声信号に対して高齢者の聴覚特性に対応させた音声処理を実行する支援処理手段を設け、視聴者に応じて標準再生モードと高齢者向け再生支援モードとに設定切り換えするように構成している。
【発明の効果】
【０００８】
本発明によれば、接触部の状態に基づいて無侵襲で肌年齢を推定可能であることを応用することによって、特別な操作を意識して行わなくても、視聴者に応じて標準再生モードと高齢者向け再生支援モードとに設定切り換えをするとともに、設定されたモードで視聴することが可能なテレビジョン受像システムが提供される。
【発明を実施するための最良の形態】
【０００９】
以下、本発明を図面に示す好適な実施の形態に基づいて詳細に説明する。図１は本発明に係るテレビジョン受像システムの一実施の形態の概略構成を示すブロック図であり、図中（ａ）はリモコン装置の構成を、（ｂ）はテレビジョン受像機の構成をそれぞれ示している。同図において、リモコン装置１０は操作者が高齢者であることを判定する肌年齢測定ユニット１１と、複数の操作ボタン１７、１８、…と、肌年齢測定ユニット１１の測定結果に基づいてテレビジョン受像機２０に支援要求を送信する送信部１９とを備えている。このうち、肌年齢測定ユニット１１は、肌に当接させる接触子と一体的に支持された図示省略の振動体を駆動して振動を発生させる振動体駆動部１３と、振動体の振動を検知して振動情報を発生する振動検知部１２と、皮膚に接触した状態における振動体の振動の変化と肌年齢とのあらかじめ取得した相関を記憶する肌指標メモリ１５と、振動検知部１２の振動情報を入力し、肌指標メモリ１５の記憶データを参照して肌年齢を算出する肌年齢算出部１４と、算出された肌年齢からリモコン操作者が高齢と呼ばれる、例えば、６０歳を超えているか否かを判定する年齢判定部１６とで構成されている。
【００１０】
一方、テレビジョン受像機２０は、放送信号を受信して映像信号と音声信号とに復調するチューナ部２１と、映像信号を受信してＹＣ分離を行う映像復調部２２と、輝度信号を受信して輝度信号レベルを変化させる輝度制御部２３と、色信号を受信して彩度調節を行う色制御部２４と、輝度や彩度の調節が行われた信号を受信して輪郭強調や雑音除去などを行うプロセス部２５と、その信号に基づいて画像表示する画像表示部２６と、音声を聞き取りやすい速度に変換する話速変換部２７と、音声の大きさを調整する音声処理部２８と、その音声を再生する音声再生部２９と、リモコン装置１０からの信号を受信するリモコン受信部３０と、受信した信号に支援要求が含まれているとき、テレビのモードを高齢者用に設定する信号を輝度制御部２３、色制御部２４、話速変換部２７及び音声処理部２８に加えるモード設定部３１とを備えている。
【００１１】
上記のように構成された本実施の形態の動作について以下に説明する。リモコン装置１０は多数の操作ボタン１７、１８、…を備え、これらのいずれか１つが操作されたときに肌年齢測定ユニット１１及び送信部１９は動作を開始する。また、これらのボタン操作に際して、振動体に一体化された接触子に操作者の皮膚が触れるようになっている。したがって、操作ボタン１７、１８、…に応じた信号が送信部１９からテレビジョン受像機２０に送信される一方、振動体駆動部１３によって振動体が駆動されるとともに、振動検知部１２は皮膚が接触子に接触したときの振動体の振動情報を肌年齢算出部１４に加える。肌年齢算出部１４は肌指標メモリ１５にあらかじめ記憶された接触部の状態としての振動の変化と肌年齢との相関データを用いて肌年齢を算出する。年齢判定部１６は算出された肌年齢が所定の値以上、例えば、６０歳以上の高齢者であるか否かを判定し、高齢者と判定したとき送信部１９に支援モード信号を送る。したがって、リモコン装置１０はこれを操作した者が高齢者であるとき支援モード信号をテレビジョン受像機２０に送信し、高齢者でない一般の者であれば標準モード信号をテレビジョン受像機２０に送信する。
【００１２】
次に、テレビジョン受像機２０においては、リモコン装置１０から送信された支援モード信号又は標準モード信号をリモコン受信部３０で受信する。モード設定部３１は受信信号に応じたモード設定を行う。この場合、モード設定部３１は、いったん設定を行った後は、リモコン装置１０から新たなモード信号が送り込まれるまで現在のモードをそのまま持続する。これはテレビを見るときは、いったんリモコン装置でチャンネルや音量を設定してしまえば、その後は番組が終わるまで、あるいは、テレビの視聴をやめるまで操作を行わないのが通常であるからである。
【００１３】
以下、本発明に直接関連する支援モードに対応する画像及び音声の処理について説明する。
放送信号ＴＳはチューナ部２１で復調され、映像信号ＳＶと音声信号ＳＡとが出力される。映像信号ＳＶは映像復調部２２でＹＣ分離と搬送色信号の復調とが行われ、輝度信号ＳＹと色信号ＳＣが出力される。輝度制御部２３は、モード設定部３１が支援モードを設定しているときに、輝度信号ＳＹの平均輝度レベルに応じて輝度信号レベルを非線形に変化させ、高齢者が見やすい画像となるように輝度制御処理を行う。また、色の差の識別能力は２０才代で最高になり、その後年齢と共に低下して高齢者が識別できる色の数は、若年層の１／２程度になるといわれている。さらに、６０才代では８０％が白内障にかかっており、白内障になると眼のレンズが濁るため、黄色のフィルタ越しに見ているようになるといわれている。このため色制御部２４においては、このような高齢者の視覚の変化を打ち消すように彩度を調節したり、彩度を補正することも好適である。
【００１４】
このように、輝度制御処理、色制御処理が行われた信号は、プロセス部２５で輪郭強調や雑音除去などの信号処理とＲＧＢ信号への変換処理とが行われ、画像表示部２６で画像が表示される。音声信号の処理は、モード設定部３１が支援モードを設定しているとき、話速変換部２７で発生音を聞き取りやすい速度に変換する。また、高齢者は小さな音は聞き取りにくく、大きな音は不快に感じる、いわゆる、「リクルーメント現象」が起こるので、これを打ち消すように音声処理部２８で小さな音は大きく、大きな音は小さくなるように信号処理を行う。このようにして処理された音声信号は、音声再生部２９で再生される。
【００１５】
ところで、リモコン装置１０が備える各種の機能をマイクロコンピュータ（ＣＰＵ）に持たせることもできる。図２はその場合の具体的処理手順を示すフローチャートである。まず、ステップＳ１にてリモコン装置が一定時間ごとに操作されたか否かを判定し、操作されなければそのまま測定待機モードとなる。この測定待機モードにおいてステップＳ２で電源、チャンネルなどの操作ボタン１７、１８、…のいずれかが操作されると、ステップＳ３で操作ボタンに応じた信号をテレビジョン受像機２０に送信する。そして、ステップＳ４で振動体を駆動し、ステップＳ５で振動体に発生させた振動に対して、肌から戻ってきた信号を測定する。そして、ステップＳ６において検知した振動情報に基づいて肌年齢を算出する。次に、ステップＳ７にて算出された肌年齢が、所定の値以上、例えば、６０才以上であるか否かを判定し、６０才以上であればステップＳ８で支援モード信号を選択して、６０才未満であればステップＳ９で標準モード信号を選択して、ステップＳ１０で送信する。このように、操作者が高齢者であると判定されたときテレビジョン受像機２０に支援要求が送信される。
【００１６】
図３はリモコン装置１０における送信部１９の具体的な構成を、その関連要素と併せて示したブロック図である。リモコン装置１０はノンロック式の複数のキー１０３（図１の操作ボタン１７、１８、…に対応）をマトリクス状に配置したキーパッド１０４と、キー入力インタフェース回路１０５と、入力されたキーに関する情報を一時記憶するＲＡＭなどで構成されたデータレジスタ１０６と、入力されたキーに対応するリモコン指令コードを生成するとともに、リモコン指令コードに基づいてパルス位置変調した信号を出力するエンコード及び変調回路１０７と、変調信号１０７ａに基づいてリモコン信号を投光する投光回路１０８とを備えている。
【００１７】
投光回路１０８は、図示を省略した電池電源ＶＢにアノード側が接続された赤外発光ダイオードＬＥＤと、ＮＰＮ型のトランジスタＱと、赤外発光ダイオードＬＥＤに流れる投光電流を設定するエミッタ抵抗ＲＥとで構成されている。
ここで、キー入力インタフェース回路１０５は、いずれかのキー１０３が押下されると、キー押下検出信号１０５ａを出力するように構成されている。発振分周回路１０２は、電池電源の消耗を少なくするために、キー押下検出信号１０５ａが与えられるまで動作を停止しており、いずれかのキー１０３が押下されると原クロックの発振及び分周を開始して各種のタイミングクロック信号を各箇所に供給する。発振分周回路１０２から各種のタイミングクロックが供給されると、キー入力インタフェース回路１０５は、チャタリングの監視やキー１０３の二重押しなどの監視を行い、正常なキー入力であればキー入力確定信号１０５ｂを出力する。送出制御手段１０１は、キー入力確定信号１０５ｂに基づいて歩進するアドレスカウンタを備え、キー入力確定信号１０５ｂを受けると、アドレス制御バス１０１ｂを介して、データレジスタ１０６のアドレスを指定するとともに、書込み制御信号を供給してデータレジスタ１０６から読み出したキー情報１０６ａをエンコード及び変調回路１０７へ供給する。
【００１８】
なお、送出制御手段１０１は、新たなキー入力確定信号１０５ｂを受けると、データレジスタ１０６のアドレスを管理しながら新たな押下キー情報１０５ｃの書込みを行う。また、データレジスタ１０６に書き込んだすべての押下キー情報１０５ｃに対するリモコン信号の送出を完了した時点で、発振分周回路１０２へ動作停止信号１０１ａを送信して、発振及び分周を停止させる。
【００１９】
一方、投光回路１０８から支援モード信号を送信する具体例を説明する。この支援モード信号は既にあるパルス列の中に埋め込んで同時に送信するのではなく、新たに支援要求のパルス列を定義して別に送信するという方法が考えられる。例えば、Ａ社の規格が、
チャンネルアップ（ＵＰ）    ：０１０１０１
チャンネルダウン（ＤＯＷＮ）：０１０１１０
というコードになっていたとする。この規格上で空いているコードを使って、
支援コード                  ：１１１１１１
と定義する。
【００２０】
そして、リモコン装置１０で一定の時間にわたって操作が行われなかった場合で、その後にチャンネルアップボタンが押されると、まず、チャンネルアップのコード「０１０１０１」が送信される。 このコードの送信と同時に肌年齢測定ユニット１１による肌年齢の算出及び高齢者判定が行われる。この肌年齢の算出及び高齢者判定が終了して、操作者が高齢者であると判定されたとすると、データレジスタ１０６に信号を送り、支援コード「１１１１１１」を送信する。肌年齢の算出及び高齢者判定には一定の時間を要し、チャンネルアップのコードと同時に送信するのは事実上困難であり、肌年齢測定ユニット１１による肌年齢の算出及び高齢者判定を終了した段階で支援コードを送信するように構成することによって既存のコードを改変する必要性はなくなる。
【００２１】
ところで、支援コードがテレビジョン受像機２０のリモコン受信部３０に送信されたときモード設定部３１が支援モードを設定する。この設定に応じて話速変換部２７は発生音声を聞き取りやすい速度に変換し、音声処理部２８は小さな音は大きく、大きな音は小さくなるように信号処理を行うが、この処理は、図４に音声信号レベルの入力レベルと出力レベルとの関係を示したように、入力レベルがＬ１からＬ３（Ｌ１＜Ｌ３）の範囲ではゲイン（Ｇａｉｎ）を徐々に上げ、Ｌ３から徐々に下げる。その結果、入力レベルがＬ２（Ｌ１＜Ｌ２＜Ｌ３）よりも大きくＬ４（Ｌ３＜Ｌ４）以下の場合はゲインは１より大きくなり、入力レベルがＬ４より大きい場合はゲインは１よりも小さくなる。このようにすることによって、入力レベルがＬ２からＬ４の間の小さい音は増幅されて聞き取りやすくなり、入力レベルがＬ４よりも大きな音は減衰されて不快ではなくなる。
【００２２】
また、高齢者の聴力レベルと周波数との関係は、図５の特性線（１）で示すように、２ｋＨｚを超える高域で急激に低下することが知られている。これに対して音声信号のゲインを図６に示すように２ｋＨｚを超える部分から徐々に上げ、３ｋＨｚを超える高域で一定の割合で持ち上げるように補正してやると、高齢者に聞こえる音声は図５の特性線（２）に示すようになり、高域での聞き取りにくさを改善することができる。
【００２３】
このように、本実施の形態によれば、リモコン装置１０の操作ボタン１７、１８、…の操作に応じた信号をテレビジョン受像機２０に送信する一方で、肌年齢測定ユニット１１が動作を開始し、この肌年齢測定ユニット１１が高齢者と判定したときに限り、支援モード信号をテレビジョン受像機２０に送信するようにしたので、特別な操作を意識して行わなくても、標準再生モードと支援モードとに設定切り換えをすることができる。
【図面の簡単な説明】
【００２４】
【図１】本発明に係るテレビジョン受像システムの一実施の形態の概略構成を示すブロック図である。
【図２】本発明の一実施の形態の主要部の機能をマイクロコンピュータに持たせた場合の具体的処理手順を示すフローチャートである。
【図３】本発明の一実施の形態を構成するリモコン装置の主要部の構成を示すブロック図である。
【図４】本発明の一実施の形態の動作を説明するために、音声信号の入力レベルと出力レベルとの関係を示した線図である。
【図５】本発明の一実施の形態の動作を説明するために、周波数と高齢者の聴力レベルとの関係を示した線図である。
【図６】本発明の一実施の形態の動作を説明するために、周波数とゲインとの関係を示した線図である。
【符号の説明】
【００２５】
１０  リモコン装置
１１  肌年齢測定ユニット（肌年齢測定手段）
１２  振動検知部
１３  振動体駆動部
１４  肌年齢算出部
１５  肌指標メモリ
１６  年齢判定部
１７、１８  操作ボタン
１９  送信部（送信手段）
２０  テレビジョン受像機
２１  チューナ部
２２  映像復調部
２３  輝度制御部（支援処理手段）
２４  色制御部（支援処理手段）
２５  プロセス部
２６  画像表示部
２７  話速変換部（支援処理手段）
２８  音声処理部（支援処理手段）
２９  音声再生部
３０  リモコン受信部
３１  モード設定部（支援処理手段）
１０１  送出制御手段
１０１ａ  動作停止信号
１０１ｂ  アドレス制御バス
１０２  発振分周回路
１０３  キー
１０４  キーパッド
１０５  キー入力インタフェース回路
１０５ａ  キー押下検出信号
１０５ｂ  キー入力確定信号
１０５ｃ  押下キー情報
１０６  データレジスタ
１０６ａ  キー情報
１０７  エンコード及び変調回路
１０７ａ  変調信号
１０８  投光回路
ＬＥＤ  赤外発光ダイオード
Ｑ  トランジスタ
ＲＥ  エミッタ抵抗
ＶＢ  電池電源
【図１】
2005039675.tif 000003
【図２】
2005039675.tif 000004
【図３】
2005039675.tif 000005
【図４】
2005039675.tif 000006
【図５】
2005039675.tif 000007
【図６】
2005039675.tif 000008